(57)【要約】      （修正有）【課題】防湿、防水効果、耐衝撃効果を強化し、利用範囲のさらなる拡大に効果のある完全防水型直管蛍光灯を提供する。【解決手段】冷陰極蛍光管を使用した直管型蛍光灯又はＬＥＤを利用した直管型蛍光灯を、ポリカーボネイト製の円筒状の強化プラスチックチューブ内に収納する。蛍光灯に接続したソケットを中間に平板状のワッシャーを介在させて、片方の端縁に係止縁を形成した筒状のスリーブ内に収容し、かつ、強化プラスチックチューブの片方の端縁部に電源コード引き出し部を端末に有する合成ゴム製のキャップを、他端に電源コード引き出し部のない合成ゴム製のキャップをそれぞれ装着する。装着部分に、端縁部分を上方に折り曲げてビス穴を設けたステンレスバンドを配してビスで緊締し、ビス止め部分を係止部としてＳ字フック等で吊り下げることができるようにする。【選択図】図８
0003159121.tif 000002
【実用新案登録請求の範囲】
【請求項１】
冷陰極蛍光管を利用した直管型の蛍光灯あるいはＬＥＤを利用した直管型蛍光灯を、ポリカーボネイト製の円筒状の強化プラスチックチューブ内に収納するとともに、該蛍光灯に接続したソケットを中間に平板状のワッシャーを介在させた状態で、片方の端縁を内側に張出して係止縁を形成した筒状のスリーブ内に収容し、かつ、該強化プラスチックチューブの片方の端縁部には電源コード引き出し部を端末に有する合成ゴム製のキャップを、他端に電源コード引き出し部のない合成ゴム製のキャップを装着したことを特徴とする完全防水型直管蛍光灯。
【請求項２】
強化プラスチックチューブとその末端に装着したキャップとの接合部に、端縁部分を上方に折り曲げてビス止めできるビス穴を設けたステンレスバンドを配してビスで緊締し、該ビス止め部分を係止部としてＳ字フック等で吊り下げることができるようにしたことを特徴とする請求項１記載の完全防水型直管蛍光灯。
【請求項３】
蛍光灯に連結するソケットの外側面に凸条部を設け、強化プラスチックチューブの端縁部及びスリーブに該ソケットの凸条に対応する位置に凹状溝を設けてこれらを嵌合させ、強化プラスチックチューブ内に内装した蛍光灯を固定できるようにしたことを特徴とする請求項１記載の完全防水型直管蛍光灯。
【請求項４】
強化プラスチックチューブ、外側面に凸条部を設けたソケット、あるいは凸条を設けないソケット、端縁に凹条溝を形成したスリーブ、あるいは凹条溝を設けないスリーブ、電源コード引き出し部を端末に有する合成ゴム製キャップ、電源コード引き出し部を有しない合成ゴム製キャップ、ステンレスバンド及びビスからなる直管型蛍光灯の完全防水対策用部品セット
【考案の詳細な説明】
【技術分野】
【０００１】  本考案は、従来の一般家庭の照明器具として広く利用されている蛍光灯に比して大幅な省エネ、Ｃｏ２削減効果及び長寿命で地球環境に優しいエコ製品であるとして注目を浴びている冷陰極蛍光管（Ｃｏｌｄ  Ｃａｔｈｏｄｅ  Ｆｌｕｏｒｅｓｃｅｎｔ  Ｌａｍｐ，通称ＣＣＦＬ）を利用した照明器具用の蛍光灯の防湿、防水及び耐衝撃性を能力を強化し、その利用範囲の拡大に極めて効果のある完全防水型冷陰極蛍光灯に関するものである。
【背景技術】
【０００２】  従来の熱冷極蛍光管も冷陰極蛍光管も基本的には蛍光管であって、発光原理はほぼ同じであるが両者の大きな違いは電極の部分にあり、従来の蛍光灯は熱陰極蛍光管（Ｈｏｔ  Ｃａｔｈｏｄｅ  Ｆｌｕｏｒｅｓｃｅｎｔ  Ｌａｍｐ，通称ＨＣＦＬ）を利用した蛍光灯で、電極にフィラメントがあり、これを加熱して熱電子を放出し管内の水銀とかキセノンなどに当たって水銀を励起し、水銀が紫外線を放出し、紫外線がガラス管の内側に塗布された蛍光体にあたって可視光線になり、照明器具として利用されている。【０００３】  これに対して、冷陰極蛍光管ＣＣＦＬは熱陰極蛍光管ＨＣＦＬとは電極の構造を異にしており、電極を加熱せずに電子を放出し、この電子が熱陰極管の電子と同様の作用をして可視光線となり蛍光灯として利用できる。【０００４】  従来の蛍光灯と冷陰極蛍光管を利用した蛍光灯は上記のように非常によく似た構造をしているが、前者は電極の構造を小さくできないので液晶表示装置のバックライトには応用できないために一般家庭や事務所、工場などの照明器具として広く利用されている。【０００５】  これに対して冷陰極蛍光管は電極の構造が簡単なため、非常に細い蛍光管とすることが可能であり、液晶表示装置などのバックライトとして広く使用されているが、熱陰極蛍光管と同様な照明用の蛍光灯としても利用されている。
ただ、従来の熱陰極蛍光管の蛍光灯も冷陰極蛍光管の蛍光灯も屋外や湿気の発生しやすい工場などで使用した場合に、防水、防湿対策が必要である。【０００６】  また、通常蛍光灯を雨風にさらされている屋外や、湿気の発生しやすい工場内に設置した場合には、蛍光灯の上に雨よけを取り付けても、蛍光管とソケットの連結部分に湿気や雨が侵入し、漏電やさびの原因となって、火災が発生したり、耐久性の低下を引き起こしており、その対策が求められている。  また、近年ＬＥＤを利用した直管型の照明器具が開発され、蛍光灯として利用されているが同様の対策が求められている。
【先行技術文献】
【０００７】
【特許文献】
【特許文献】  特開２０００−１３３２００
【特許文献】  特開２００２−４２７２４
【特許文献】  特開平１１−２０４０８２
【考案の概要】
【考案が解決しようとする課題】
【０００８】  特開２０００−１３３２００及び特開２００２−４２７２４はともに液晶表示装置などのバックライトとして使用する冷陰極蛍光管に関するものであり、特開平１１−２０４０８２は、冷陰極蛍光管の端部から外部リード線にかけて内面に熱溶融性接着剤を塗布した絶縁性チューブを使用して耐水性を強化した冷陰極蛍光管に関するものであり、本願が目的としている照明器具である蛍光灯全体の防湿、防水を目的としたものでないことは明白である。【０００９】  本願は、近年一般照明器具として市販されている冷陰極蛍光管を利用した蛍光灯やＬＥＤを利用した蛍光灯の利点を活かすとともに更に防湿、防水効果及び耐震、耐衝撃効果を強化することにより新たな利用分野、新たな顧客層の開拓ができる完全防水型の蛍光灯を開発するためになされたものである。
【課題を解決するための手段】
【００１０】  冷陰極蛍光管（ＣＣＦＬ）及びインバーター電源部を内蔵し、冷陰極蛍光管の背面に反射板を配し、照射面をプラスチックの透明カバーで覆った直管型の蛍光灯あるいはＬＥＤを利用した直管型蛍光灯全体を、ポリカーボネイト製の円筒状の強化プラスチックチューブ（以下強化プラスチックチューブと称す）内に収納するとともに、該蛍光灯に接続したソケットを中間に平板状のワッシャーを介在させて片方の端縁を内側に張出して係止縁を形成した筒状のスリーブ（以下スリーブと称す）内に収容するとともに強化プラスチックチューブの片方の端縁部に電源コード引き出し部を端末に有する合成ゴム製のキャップ（以下キャップと称す）を、また、該強化プラスチックチューブの他端に電源コード引き出し部のない合成ゴム製のキャップを嵌合し、さらにこの嵌合部に端縁部分を上方に折り曲げてビスで締止できるようにしたステンレスバンド（以下ステンレスバンドと称す）を配してビスで緊締し、該ビス止め部分を係止部としてＳ字フック等で吊り下げることができるようにしたものである。
【考案の効果】
【００１１】  本願は、冷陰極蛍光管（ＣＣＦＬ）を使用した蛍光灯やＬＥＤを利用した蛍光灯が従来の熱陰極管（ＨＣＦＬ）を利用した蛍光灯に比して、極めて細型の蛍光灯に形成できる特徴を活かすことを目的に開発されたもので、防湿、防水及び耐衝撃性を強化することにより、本来冷陰極蛍光管の特徴である長寿命、低消費電力の特徴を更に強化することができ、屋外や湿気の発生しやすい工場などでの照明器具として積極的採用を促すことができるので新たな利用分野、新たな客層の開拓にすばらしい効果を発揮できるものである。
【図面の簡単な説明】
【００１２】
【図１】  本考案の完全防水型直管蛍光灯の側面図である。
【図２】  強化プラスチックチューブの斜視図で、（ａ）は凹溝のないもの、（ｂ）は凹溝を設けたものである。
【図３】  合成ゴム製キャップの斜視図で、（ａ）は電源コード引き出し部のないもの（ｂ）は端縁部に電源コード引き出し部を有するものである。
【図４】  平板状ワッシャー及び筒状のスリーブの斜視図で、（ａ）は平板状ワッシャー（ｂ）は片方の端縁を内側に張出して係止縁を形成した筒状のスリーブである。
【図５】  ソケットの斜視図で、（ａ）は凸条のあるもの、（ｂ）は凸条のないものである。
【図６】  ステンレスバンドの斜視図である。
【図７】  凸条を設けないソケットを使用したもののＡ−Ａ部分の一部を欠除した説明図である。
【図８】  凸条を設けたソケットを使用したもののＡ−Ａ部分の一部を欠除した説明図である。
【考案を実施するための形態】
【００１３】  以下の実施例においては冷陰極蛍光管を利用した蛍光灯を例に本願の実施例を詳述します。  ＬＥＤを利用した蛍光灯についても応用できることは勿論である。
【実施例１】
【００１４】  以下図面によって実施例を詳述する。
冷陰極蛍光管１及びインバーター電源部２を内蔵し、冷陰極蛍光管１の背面に反射板３を配し、照射面をプラスチックの透明カバー４で覆った直管型の蛍光灯５全体を、ポリカーボネイト製の円筒状強化プラスチックチューブ６内に収納するとともに、該蛍光灯５に接続したソケット７を中間に平板状のワッシャー８を介在させて、片方の端縁を内側に張出して係止縁９を形成した筒状のスリーブ１０内に収容し、かつ、強化プラスチックチューブ６の片方の端縁部に電源コード１１を相通する電源コード引き出し部１２を端末に有する合成ゴム製のキャップ１３を装着し、他端に電源コード引き出し部１２のない合成ゴム製のキャップ１３‘を嵌合する。  なお、図面中２１は蛍光灯の電極を示す。【００１５】  強化プラスチックチューブ６内にスリーブ１０を介在させることにより、蛍光灯５に接続したソケット７の圧力を面積の広いスリーブ１０で均等にキャップ１３、１３‘に分散できるので、スリーブ１０の耐久性を強化することができる。【００１６】  強化プラスチックチューブ６とその末端に装着したキャップ１３、１３‘との接合分に、端縁部分１４を上方に折り曲げてビス止めできるビス穴１５を設けたステンレスバンド１６を配してビス１７で緊締し、該ビス止め部分を係止部１８としてＳ字フック（略）等で吊り下げることができるようにする。【００１７】  なお、キャップ１３を強化プラスチックチューブ６に装着する前にソケット７に接続されている電源コード１１を挿通しておく。  また、電源コード１１を挿通した際に電源コード引き出し部１２の空隙から湿気や水が浸入しないようにシリコンその他の粘着剤やコーキング剤などを充填したり、インシュロックなどで緊締しておくとより防水防湿効果が完全となる。
【実施例２】
【００１８】  冷陰極蛍光管１に連結するソケット７の外側面に凸条部１９を設け、かつ、強化プラスチックチューブ６の端縁部に該凸条部１９に相応する凹条溝２０を、また、スリーブ１０の端縁部にも凹条溝２０を設け、ソケット７の凸条部１９を両凹条溝に嵌合させることにより、蛍光灯５、スリーブ１０、強化プラスチックチューブ６とキャップ１３が一体化し、蛍光灯５が内部で移動するのを防止することができる。
【符号の説明】
【００１９】  １  冷陰極蛍光管
２  インバーター電源部
３  反射板
４  透明カバー
５  蛍光灯
６  強化プラスチックチューブ
７  ソケット
８  ワッシャー
９  係止縁
１０  スリーブ
１１  電源コード
１２  電源コード引き出し部
１３  キャップ
１３‘  電源コード引き出し部のないキャップ
１４  端縁部分
１５  ビス穴
１６  ステンレスバンド
１７  ビス
１８  係止部
１９  凸条部
２０  凹条溝
２１  蛍光灯の電極
【図１】
0003159121.tif 000003
【図２】
0003159121.tif 000004
【図３】
0003159121.tif 000005
【図４】
0003159121.tif 000006
【図５】
0003159121.tif 000007
【図６】
0003159121.tif 000008
【図７】
0003159121.tif 000009
【図８】
0003159121.tif 000010
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
冷陰極蛍光管を利用した直管型の蛍光灯あるいはＬＥＤを利用した直管型蛍光灯を、ポリカーボネイト製の円筒状の強化プラスチックチューブ内に収納するとともに、該蛍光灯に接続したソケットを中間に平板状のワッシャーを介在させた状態で、片方の端縁を内側に張出して係止縁を形成した筒状のスリーブ内に収容し、かつ、該強化プラスチックチューブの片方の端縁部には電源コード引き出し部を端末に有する合成ゴム製のキャップを、他端に電源コード引き出し部のない合成ゴム製のキャップを装着したことを特徴とする完全防水型直管蛍光灯。
【請求項２】
強化プラスチックチューブとその末端に装着したキャップとの接合部に、端縁部分を上方に折り曲げてビス止めできるビス穴を設けたステンレスバンドを配してビスで緊締し、該ビス止め部分を係止部としてＳ字フック等で吊り下げることができるようにしたことを特徴とする請求項１記載の完全防水型直管蛍光灯。
【請求項３】
蛍光灯に連結するソケットの外側面に凸条部を設け、強化プラスチックチューブの端縁部及びスリーブに該ソケットの凸条に対応する位置に凹状溝を設けてこれらを嵌合させ、強化プラスチックチューブ内に内装した蛍光灯を固定できるようにしたことを特徴とする請求項１記載の完全防水型直管蛍光灯。